(57)【要約】【課題】従来のバルコニー用デッキ材において、根太材と床板材を釘着によることなく固定できるように改良する。【解決手段】係合小溝に係合突片を係合して上面に複数個の連結ブロック材を長手方向に対し所定間隔を以て装着した根太材の複数本を所定間隔を以て並列するとともにこの各連結ブロック材上に床板材を上記根太材と直交するように並列して連結ブロック材の嵌合溝に床板材の嵌合突条を上方から押圧により嵌着させることにより現場で床面の大きさに合わせての截断作業や組み立て作業が簡単なバルコニー用デッキ材の提供。【選択図】    図１
0003105991.tif 000002
【実用新案登録請求の範囲】
【請求項１】
断面が略方形状からなる長尺棒体１の両側壁上半部に長手方向に沿う係合小溝２，２を刻設してなる根太材Ａと、長尺水平板体３の下面略中央部に長手方向に沿う溝４を設けるとともに該溝４の略中央部に、両側壁に係止突片５，５を有する嵌合突条６を突設してなる床板材Ｂと、上記根太本体Ａの上部を跨ぐように下面に嵌着溝７を設けるとともに該嵌着溝７の両側壁に上記係合小溝２，２に係合する係合突片８，８を突設してなる下ブロック体ａの上面に、上記嵌合突条６を突設してなる溝４に嵌合する嵌合溝９を設けるとともに該嵌合溝９の両側壁に上記係止突片５，５に係止する係止小溝１０，１０を刻設してなる上ブロック体ｂを、上記嵌着溝７と嵌合溝９とが直交するように装着してなる連結ブロック材Ｃとからなり、係合小溝２，２に係合突片８，８を係合して上面に複数個の連結ブロック材Ｃを所定間隔を以て長手方向に対し摺動自在に装着してなる根太材Ａの複数本を所定間隔を以て並列するとともに該連結ブロック材Ｃの上面に床板材Ｂを該根太材Ａと直交するように載置し、嵌合溝９に嵌合突条６を嵌合して係止小溝１０，１０に係止突片５，５に係止することにより装着せしめてなるバルコニー用デッキ材。
【請求項２】
上記床板材Ｂの嵌合突条６が略中央部に設けられた長手方向に沿う切り欠き１１により二分されていることを特徴とする請求項１記載のバルコニー用デッキ材。
【考案の詳細な説明】
【技術分野】
【０００１】本考案は、バルコニーの床面上に敷設されるデッキ材、更に詳しくは、現場にて当該床面の大きさに合わせて組み立て敷設されるバルコニー用デッキ材に関するものである。
【背景技術】
【０００２】従来、この種のバルコニー用デッキ材としては、図５に示されているような所定間隔を以て並列された根太材の上面に床板材を直交するように縦列し、これをネジ釘等による釘着にて一体となしたものが一般に使用されていた。従って、予め所定の大きさに組み立てられているものを広さの異なるテラスやベランダ等の床面上に敷設するには敷設面積に合わせた床材の切断作業や組合せ作業等高度の技術を必要とするために素人では容易に敷設することはできなかった。
【考案の開示】
【考案が解決しようとする課題】
【０００３】かかる従来のバルコニー用デッキ材の根太材と床板材との固定部分を改良するところに本考案が解決しようとする課題を有する。すなわち、本考案は、従来の釘着による根太材と床板材との固定機能に代え、当該根太材と床板材自体が釘着によることなく固定できるように構成したところに課題の解決がある。
【課題を解決するための手段】
【０００４】本考案は、上記従来品の欠点を解消するために開発したものであって、断面が略方形状からなる長尺棒体の両側壁上半部に長手方向に沿う係合小溝を刻設してなる根太材と、長尺水平板体の下面略中央部に長手方向に沿う溝を設けるとともに該溝の略中央部に、両側壁に係止突片を有する嵌合突条を突設してなる床板材と、上記根太本体の上部を跨ぐように下面に嵌着溝を設けるとともに該嵌着溝の両側壁に上記係合小溝に係合する係合突片を突設してなる下ブロック体の上面に、上記嵌合突条を突設してなる溝に嵌合する嵌合溝を設けるとともに該嵌合溝の両側壁に上記係止突片に係止する係止小溝を刻設してなる上ブロック体を、上記嵌着溝と嵌合溝とが直交するように装着してなる連結ブロック材とからなり、係合小溝に係合突片を係合して上面に複数個の連結ブロック材を所定間隔を以て長手方向に対し摺動自在に装着してなる根太材の複数本を所定間隔を以て並列するとともに該連結ブロック材の上面に床板材を該根太材と直交するように載置し、嵌合溝に嵌合突条を嵌合して係止小溝に係止突片に係止することにより装着せしめてなるバルコニー用デッキ材の提供にあり、また、前期床板材の嵌合突条が略中央部に設けられた長手方向に沿う切り欠きにより二分されていることを特徴とするバルコニー用デッキ材の提供にある。
【考案の効果】
【０００５】本考案は、上記従来品の欠点を解消するために開発したものであって、断面が略方形状からなる長尺棒体の両側壁上半部に長手方向に沿う係合小溝を刻設してなる根太材と、長尺水平板体の下面略中央部に長手方向に沿う溝を設けるとともに該溝の略中央部に、両側壁に係止突片を有する嵌合突条を突設してなる床板材と、上記根太本体の上部を跨ぐように下面に嵌着溝を設けるとともに該嵌着溝の両側壁に上記係合小溝に係合する係合突片を突設してなる下ブロック体の上面に、上記嵌合突条を突設してなる溝に嵌合する嵌合溝を設けるとともに該嵌合溝の両側壁に上記係止突片に係止する係止小溝を刻設してなる上ブロック体を、上記嵌着溝と嵌合溝とが直交するように装着してなる連結ブロック材とからなり、係合小溝に係合突片を係合して上面に複数個の連結ブロック材を所定間隔を以て長手方向に対し摺動自在に装着してなる根太材の複数本を所定間隔を以て並列するとともに該連結ブロック材の上面に床板材を該根太材と直交するように載置し、嵌合溝に嵌合突条を嵌合して係止小溝に係止突片に係止することにより装着せしめてなるバルコニー用デッキ材であるから、従来のバルコニー用デッキ材には得られない特徴を有するバルコニー用デッキ材を提供することができる。例えば、根太材と床板材とが釘着によることなく固定できるので、現場にてバルコニー用デッキ材を構成する根太材と床板材とを敷設せんとする床面の大きさに合わせて素材の段階にて所定長さに截断することができ、また截断された根太材と床板材とが介在される連結ブロック材への嵌着により接合されるために素人でも簡単に組み立てられ、これより施工が簡単にして且つ床面の大きさに適合するバルコニー用デッキ材を提供することができる。【０００６】また、本考案は、前期床板材の嵌合突条が略中央部に設けられた長手方向に沿う切り欠きにより二分されていることにより、介在される連結ブロック材への床板材の固定に際し、上記床板材の上方からの押圧により容易に装着することができる。
【考案を実施するための最良の形態】
【０００７】本考案の実施形態は、断面が略方形状からなる長尺棒体の両側壁上半部に長手方向に沿う係合小溝を刻設してなる根太材と、長尺水平板体の下面略中央部に長手方向に沿う溝を設けるとともに該溝の略中央部に、両側壁に係止突片を有する嵌合突条を突設してなる床板材と、上記根太本体の上部を跨ぐように下面に嵌着溝を設けるとともに該嵌着溝の両側壁に上記係合小溝に係合する係合突片を突設してなる下ブロック体の上面に、上記嵌合突条を突設してなる溝に嵌合する嵌合溝を設けるとともに該嵌合溝の両側壁に上記係止突片に係止する係止小溝を刻設してなる上ブロック体を、上記嵌着溝と嵌合溝とが直交するように装着してなる連結ブロック材とからなり、係合小溝に係合突片を係合して上面に複数個の連結ブロック材を所定間隔を以て長手方向に対し摺動自在に装着してなる根太材の複数本を所定間隔を以て並列するとともに該連結ブロック材の上面に床板材を該根太材と直交するように載置し、嵌合溝に嵌合突条を嵌合して係止小溝に係止突片に係止することにより装着せしめてなるバルコニー用デッキ材であるから、従来の釘着による根太材と床板材との固定機能に代え、当該根太材と床板材とを介在される連結ブロック材への嵌着により固定でき、しかも連結ブロック材への床板材の固定を該床板材の上方からの押圧により固定することができるため、施工が簡単で、且つ床面の大きさに簡単な作業で適合させることができる。【０００８】また、本考案の実施形態は、前期床板材の嵌合突条が略中央部に設けられた長手方向に沿う切り欠きにより二分されていることにより、介在される連結ブロック材への床板材の固定に際し、上記床板材の上方からの押圧による装着作業が一段と向上せしめられる。【０００９】また、本考案の実施形態は、前期根太材の長尺棒体の形状を少なくとも上下二段の長手方向に沿う中空室を有し、且つ両側壁に上記中空室の仕切り壁部を表示する目安線を有する中空棒体ととなすことによって、根太材の軽量化を図るとともに該根太材の截断によるバルコニー用デッキ材の高さ調整ができる。
【実施例】
【００１０】以下、図面に従って本考案の実施例について説明すれば、図１と図２は、本考案のバルコニー用デッキ材の一部欠截斜視図および同上一部拡大側面図を各々示したものであり、根太材Ａと床板材Ｂと連結ブロック材Ｃとから構成されている。本考案の最も特徴とするところは、根太材Ａと床板材Ｂとを連結する連結ブロック材Ｃにある。【００１１】まず、本考案の根太材Ａは、図１および図２に図示されているように木粉入りポリエチレンのような合成樹脂を素材として押出成形により一体に成形された断面が略方形状からなる長尺棒体１の両側壁上半部に長手方向に沿う断面が略三角形状からなる係合小溝２，２を各々刻設してなるものである。また、上記長尺棒体１には上下二段の長手方向に沿う中空室１２を設けるとともに該長尺棒体１の両側壁には該中空室１２の仕切り壁部１３が位置する部分を表示する目安線１４を設け、根太材の軽量化を図るとともに該根太材の截断によるベランダ等の床材の高さ調整ができるように構成されている。【００１２】次に、本考案の床板材Ｂは、図１、図２および図３に図示されているように上記根太材Ａと同様の合成樹脂を素材として押出成形により一体に成形されているものであって、長尺水平板体３下面略中央部に長手方向に沿う溝４を設けるとともに該溝４の略中央部に、両側壁に係止突片５，５を有する嵌合突条６を突設してなるものである。また、上記嵌合突条６は略中央部に設けられた長手方向に沿う切り欠き１１により二分されている。【００１３】また、本考案の連結ブロック材Ｃは図１、図２および図４に図示されているように、上記根太本体Ａの上部を跨ぐように下面に嵌着溝７を設けるとともに該嵌着溝７の両側壁に上記係合小溝２，２に係合する係合突片８，８を突設してなる断面略逆凹字状の下ブロック体ａ上面に、嵌合突条６を突設してなる床板材Ｂの溝４に嵌合する嵌合溝９を設けるとともに該嵌合溝９の両側壁に上記係止突片５，５に係止する係止小溝１０，１０を刻設してなる上ブロック体ｂを、上記嵌着溝７と嵌合溝９とが直交するように装着してなるものであって、前期合成樹脂を素材として射出成形により−体に成形されているものである。また、上記嵌合溝９の開口部近傍の両側壁には、嵌合突条６の嵌合を容易ならしめるためにテーパー１５が施されている。【００１４】上記により構成された根太材Ａ、床板材Ｂおよび連結ブロック材Ｃは図１および図２に図示されているように、係合小溝２，２に係合突片８，８を係合して上面に複数個の連結ブロック材Ｃを所定間隔を以て長手方向に対し摺動自在に装着してなる根太材Ａの複数本を所定間隔を以て並列するとともに該連結ブロック材Ｃの上面に床板材Ｂを該根太材Ａと直交するように載置し、嵌合溝９に嵌合突条６を嵌合して係止小溝１０，１０に係止突片５，５に係止することにより装着してなるものであるから、従来の釘着による根太材と床板材との固定機能に代え、当該根太材と床板材とを介在される連結ブロック材への嵌着により固定できるようにしたことによって、現場にてバルコニー用デッキ材を構成する根太材と床板材とを敷設せんとする床面の大きさに合わせて素材の段階にて所定長さに截断することができ、また截断された根太材と床板材とが介在される連結ブロック材への嵌着により接合されるために施工が簡単で、且つ床面の大きさに適合するバルコニー用デッキ材を提供することができる。
【図面の簡単な説明】
【図１】本考案のバルコニー用デッキ材の一部欠截斜視図。
【図２】本考案のバルコニー用デッキ材の一部拡大側面図。
【図３】本考案のバルコニー用デッキ材の部材たる床板材の一部拡大側面図。
【図４】本考案のバルコニー用デッキ材の部材たる連結ブロック材の一部拡大側面図。
【図５】従来のベランダ等の床材の一部拡大断面図。
【符号の説明】
Ａ  根太材
Ｂ  床板材
Ｃ  連結ブロック材
１  長尺棒体
２  係合小溝
３  長尺水平板体
４  溝
５  係止突片
６  嵌合突条
７  嵌着溝
８  係合突条
９  嵌合溝
１０  係止小溝
１１  切り欠き
ａ  下ブロック体
ｂ  上ブロック体
【図１】
0003105991.tif 000003
【図２】
0003105991.tif 000004
【図３】
0003105991.tif 000005
【図４】
0003105991.tif 000006
【図５】
0003105991.tif 000007